(57)【要約】【課題】  簡単な構成で容易にしっかりとロール体を保持可能にする。【解決手段】  ロール体保持装置は、ハンドル８に連結されたリードスクリューである中心軸部材３と、中心軸部材３に螺合したカム部材４と、これらを覆う円筒体２を構成する複数のセグメント５を有する。カム部材４は複数のレール１０を有し、レール１０は半径方向の高さが変わるカム面１０ａを有する。セグメント５は、レール１０に嵌合しカム面１０ａに沿って相対的に摺動可能なフォロワ部１１と、多数の突起部１４が設けられた外表面部１２を有する。円筒体２をロール体１００の紙管１０１内に挿入してハンドル８を回転させると、中心軸部材３が回転してカム部材４が長手方向に移動する。それによって、カム面１０ａのうちの、半径方向の高さが高い部分がフォロワ部１１に当接し、各セグメント５は半径方向に広がり、突起部１４が紙管１０１の内面に食い込む。【選択図】  図３
2007062935.tif 000002
【特許請求の範囲】
【請求項１】
中心軸部材と、
前記中心軸部材の長手方向に沿って進退可能に設けられている、半径方向の高さが変わるカム面を含むカム部材と、
前記カム部材の前記カム面に沿って相対的に摺動可能なフォロワ部と、前記中心軸部材および前記カム部材を覆う円筒体の一部を構成する外表面部と、前記外表面部上に設けられている複数の突起部とを含み、前記中心軸部材の長手方向に移動不能であり、かつ前記フォロワ部の、前記カム面に沿う相対的な摺動に伴って前記円筒体の半径方向に移動可能である複数のセグメントと、
を有する、ロール体保持装置。
【請求項２】
前記突起部は、前記円筒体の外周面の実質的に全面にわたって存在する、請求項１に記載のロール体保持装置。
【請求項３】
前記カム部材が前記中心軸部材の長手方向に所定の範囲内で移動可能になるように前記中心軸部材および前記カム部材を保持するとともに、前記複数のセグメントを、前記外表面部が前記中心軸部材および前記カム部を覆う前記円筒体を構成するように、かつ前記中心軸部材の長手方向に移動不能に、前記円筒体の半径方向に所定の範囲内で移動可能に保持するフランジを有する、請求項１または２に記載のロール体保持装置。
【請求項４】
前記中心軸部材はねじ部を有し、かつ前記フランジの外側に配置されているハンドルに連結されており、前記ハンドルの回転に伴って回転するとともに、前記ねじ部に嵌め合わされた前記カム部材を進退させることができる、請求項３に記載のロール体保持装置。
【請求項５】
前記カム部材の前記カム面はレールの一部を構成しており、前記フォロワ部は前記レールに対し摺動可能かつ離脱不能に取り付けられており、前記フランジはその半径方向に沿う複数の被係合部を有し、前記各セグメントは前記各被係合部に係合して摺動可能な係合部をそれぞれ有している、請求項３または４に記載のロール体保持装置。
【請求項６】
前記フォロワ部は前記カム面上に当接するように取り付けられており、前記各セグメントは、前記外表面部に連結されており該セグメントを前記円筒体の半径方向に広がった位置から縮まった位置に向けて付勢する板ばね部を有している、請求項３または４に記載のロール体保持装置。
【請求項７】
前記フォロワ部が、前記カム面のうちの、半径方向の高さが比較的低い部分に当接している状態で、前記セグメントは半径方向に縮まった位置にあり、前記フォロワ部が、前記カム面のうちの、半径方向の高さが比較的高い部分に当接している状態で、前記セグメントは半径方向に広がった位置にある、請求項１〜６のいずれか１項に記載のロール体保持装置。
【請求項８】
前記カム面の長手方向の長さは、前記セグメントおよび前記フォロワ部の長手方向の長さの２／３以上である、請求項１〜７のいずれか１項に記載のロール体保持装置。
【請求項９】
請求項１〜８のいずれか１項に記載のロール体保持装置と、
前記ロール体保持装置に保持されているロール体から繰り出された記録媒体に対して記録を行う記録部と
を有する記録装置。
【発明の詳細な説明】
【技術分野】
【０００１】
本発明はロール体保持装置とそれを有する記録装置に関する。
【背景技術】
【０００２】
従来、例えばプリンタ等の装置にウエブ材（連続する長尺の記録媒体）を連続的に供給する場合には、ウエブ材を巻いたロール体を用意し、このロール体からウエブ材を順次繰り出す構成が採用されている。特に、大型プリンタの場合には、大きく重いウエブ材が用いられることが多いため、芯材である紙管の周りにウエブ材を巻き付けてロール体が構成される。紙管は、段ボールや合成樹脂などからなる円筒であり、あまり大きく撓むことなく、重いウエブ材を保持することができる。なお、一般に「紙管」と称されているが、紙製の管状部材に限られず、塩化ビニール等の合成樹脂製の管状部材なども広く使用されている。
【０００３】
このように紙管の周りにウエブ材を巻き付けた構成のロール体を装置にセットするために、紙管を貫通する長い支持軸を設けると、装置が大型化するとともに、ロール体の取り付けおよび取り外しの作業が繁雑になる。そこで、ロール体の両端部、特に紙管の両端部を保持する装置が用いられる。
【０００４】
ロール体の端部を保持する装置は、紙管を内側から支持する機構が一般的であるが、紙管の内面と支持機構との間に隙間があると、ウエブ材の繰り出し時および巻き取り時にがたつきを生じて、ウエブ材の進退が円滑に行えず、ウエブ材の端部が折れ曲がったり、斜行（スキュー）を生じたりする可能性がある。一般に、紙管の内径は規定の寸法、例えば３インチ（７６．２ｍｍ）に揃えられているが、数ｍｍ程度の誤差が生じる可能性がある。その場合には、前記したように紙管の内面と支持機構の間に隙間が生じてウエブ材の繰り出しおよび巻き取りが円滑に行えなくなる。
【０００５】
そこで、例えば特許文献１には、紙管の内面に内側から圧接する複数の当接部材によって、がたつきなくロール体の端部を保持する装置が提案されている。
【特許文献１】特開平５−７７９７６号公報
【発明の開示】
【発明が解決しようとする課題】
【０００６】
特許文献１に記載の保持装置では、半径方向に移動可能な複数の当接部材によって、紙管の内面を内側から圧接しながら支持するため、がたつきをなくすことができる。しかし、この保持装置では、紙管を保持するに際して、まず係止爪を歯車から外し、この保持装置を紙管の内側に挿入し、当接部材自体を動かして紙管の内面に当接させる。それから、係止爪を歯車に再度係合させることによって当接部材を固定する。これらの一連の工程は全て手作業で行われるため、非常に面倒である。また、当接部材自体を手動で動かして紙管の内面に当接させる工程や、係止爪を歯車に再度係合させる工程を、保持装置が紙管の内側に挿入された状態で行えるようにする機構は、特許文献１には明示されていない。このような機構が実現可能であるとしたら、非常に複雑な構成が必要であると考えられる。
【０００７】
そこで本発明の目的は、比較的簡単な構成で、外部からの操作によって容易に、紙管の内面に対して圧接することによってがたつきなくしっかりとロール体を保持可能なロール体保持装置と、それを有する記録装置を提供することにある。
【課題を解決するための手段】
【０００８】
本発明のロール体保持装置は、
円柱状の中心軸部材と、
半径方向の高さが変わるカム面を含み、中心軸部材の長手方向に沿って進退可能なカム部材と、
カム部材のカム面に沿って相対的に摺動可能なフォロワ部と、中心軸部材およびカム部材を覆う円筒体の一部を構成する外表面部と、外表面部上に設けられている複数の突起部とを含み、中心軸部材の長手方向に移動不能であり、かつフォロワ部の、カム面に沿う相対的な摺動に伴って円筒体の半径方向に移動可能である複数のセグメントと、
を有する。
【０００９】
この構成によると、カム部材のカム面とセグメントのフォロワ部との相対的な摺動に伴って、外表面部が半径方向に広がることができる。ロール体の紙管の内側でこのように外表面部が半径方向に広がると、複数の突起部が紙管の内面に食い込んで紙管をしっかりと保持することができる。
【００１０】
突起部は、円筒体の外周面の実質的に全面にわたって存在することが好ましく、それによって、複数のセグメントが構成する円筒体のほぼ全体で、面接触に近い状態でロール体を保持できるため、ロール体が斜めに保持されることが防げる。
【００１１】
カム部材が中心軸部材の長手方向に所定の範囲内で移動可能になるように中心軸部材およびカム部材を保持するとともに、複数のセグメントを、外表面部が中心軸部材およびカム部を覆う円筒体を構成するように、かつ中心軸部材の長手方向に移動不能に、円筒体の半径方向に所定の範囲内で移動可能に保持するフランジをさらに有してもよい。その場合、カム部材を進退させ、セグメントを半径方向への広げるための操作を、フランジをベースとして容易に行うことができる。
【００１２】
さらに、中心軸部材はねじ部を有し、かつフランジの外側に配置されているハンドルに連結されており、ハンドルの回転に伴って回転するとともに、ねじ部に嵌め合わされたカム部材を進退させることができるものであってもよい。その場合、フランジの外側に位置するハンドルの回転のみによって、ロール体の保持が容易に行える。
【００１３】
カム部材のカム面はレールの一部を構成しており、フォロワ部はレールに対し摺動可能かつ離脱不能に取り付けられ、フランジはその半径方向に沿う複数の被係合部を有し、各セグメントは各被係合部に係合して摺動可能な係合部をそれぞれ有していてもよい。または、フォロワ部はカム面上に当接するように取り付けられており、各セグメントは、外表面部に連結されておりセグメントを円筒体の半径方向に広がった位置から縮まった位置に向けて付勢する板ばね部を有していてもよい。これらのいずれの構成でも、セグメントを半径方向に広げることによるロール体の保持操作と、セグメントを半径方向に縮めることによるロール体の保持解除操作とが容易に繰り返して行える。
【００１４】
なお、フォロワ部が、カム面のうちの、半径方向の高さが比較的低い部分に当接している状態で、セグメントは半径方向に縮まった位置にあり、フォロワ部が、カム面のうちの、半径方向の高さが比較的高い部分に当接している状態で、セグメントは半径方向に広がった位置にある。
【００１５】
カム面の長手方向の長さが、セグメントおよびフォロワ部の長手方向の長さの２／３以上であると、かじりを生じることなくセグメントが円滑に半径方向に広がったり縮まったりすることができる。
【００１６】
また、本発明の記録装置は、前記したいずれかの構成のロール体保持装置と、そのロール体保持装置に保持されているロール体から繰り出された記録媒体に対して記録を行う記録部とを有する。前記したロール体保持装置を用いることによって、ロール体から繰り出された記録媒体の斜行が防げ、円滑な供給が可能であるため、高精度の記録が行える。
【発明の効果】
【００１７】
本発明によると、簡単な構成でロール体をしっかりと保持することができ、しかも、ロール体の取り付けおよび取り外しの作業が非常に簡単な操作で可能である。
【発明を実施するための最良の形態】
【００１８】
以下、本発明の実施の形態について図面を参照して説明する。
【００１９】
まず、図１〜８に示す本発明の第１の実施形態について説明する。図１〜３には、本実施形態のロール体保持装置の全体が示されている。このロール体保持装置の基本構成は、円板状のフランジ１と、このフランジ１から突出してロール体１００の紙管１０１（図３参照）の内側に挿入される円筒体２とからなる。具体的には、中心軸部材３（図４参照）と、中心軸部材３の外周に取り付けられているカム部材４（図５参照）と、中心軸部材３およびカム部材４を覆う円筒体２を構成する複数のセグメント５（図６参照）が、フランジ１と上板６の間に保持されている。
【００２０】
フランジ１はプリンタ等の装置に固定されても、固定されなくてもよく、内側に半径方向に沿う被係合部７が設けられている。
【００２１】
図４に示されている中心軸部材３は、外周部に図示しない雄ねじ部が設けられているリードスクリューであり、フランジ１の外部に配置されているハンドル８と連結され、ハンドル８と一体的に、フランジ１および上板６に対して相対的に回転可能である。なお、図４では、判りやすくするために、フランジ１を省略して中心軸部材３とハンドル８が直接連結されている状態を示している。
【００２２】
図５に示されているカム部材４は、内周部に、中心軸部材３の雄ねじ部と螺合する図示しない雌ねじ部が設けられている筒部９と、筒部９の外周面から突出するＴ字状の複数のレール１０を有し、このレール１０は半径方向の高さが変わる斜面状のカム面（被摺動面）１０ａを有している。すなわち、本実施形態のカム面１０ａは、カム部材４の半径方向の高さが高い部分（図３，５の左側）から、半径方向の高さが低い部分（図３，５の右側）まで連続する直線状の斜面である。ただし、曲面上のカム面や、フォロワ部が追随できる程度の小さな段差を有する階段状のカム面等であってもよい。カム部材４は、中心軸部材３よりも短く、中心軸部材３の長手方向に沿って移動可能である。本実施形態では、雄ねじ部と雌ねじ部が螺合しているため、ハンドル８および中心軸部材３が回転すると、カム部材４は中心軸部材３の長手方向に進退する。
【００２３】
図６に示されているセグメント５は、カム部材４のレール１０に嵌合しカム面１０ａに沿って相対的に摺動可能なフォロワ部１１と、円筒体２の外周面を構成する外表面部１２と、フォロワ部１１と外表面部１２とを連結する連結部１３を有している。さらに、外表面部１２上には多数の鋲状の突起部１４（図１〜３参照）が設けられている。また、セグメント５の長手方向の両端部にはそれぞれ係合部１５，１６が設けられている。各セグメント５は、フランジ１と上板６の間に挟まれ、かつフォロワ部１１がレール１０に係合することによってカム部材４に取り付けられているため、離脱不能になっている。
【００２４】
上板６は、所定の間隔をおいてフランジ１に対向する位置にねじ１７等によって固定されており、内側面に、半径方向に延びる被係合部１８（図８参照）が設けられている。図１に示すように、上板６の外側で中心軸部材３にピン１９が差し込まれて、上板６と中心軸部材３が離脱することが防がれている。
【００２５】
図７，８に示されているように、フランジ１の内面の被係合部７と上板６の内面の被係合部１８は、２つの凸部とそれらの間の凹部からそれぞれ形成されており、セグメント５の長手方向両端部の係合部１５，１６は、２つの凹部とそれらの間の凸部からそれぞれ形成されている。そして、各凸部と各凹部がそれぞれ嵌合することによって、各係合部１５，１６は各被係合部７，１８に沿ってそれぞれ半径方向に摺動可能である。
【００２６】
以上説明した構成の本実施形態のロール体保持装置のロール体保持方法について、以下に説明する。
【００２７】
まず、ロール体保持前の初期状態（図示せず）では、カム部材４がフランジ１の内面から遠い位置（上板６の内面に近い位置）に保持され、従って、セグメント５のフォロワ部１１は、カム部材４のカム面１０ａのうちの、半径方向の高さが比較的低い部分に当接している。そのため、各セグメント５は半径方向に縮まった位置にある。この初期状態で、円筒体２をロール体１００の紙管１０１（図３参照）の内側に挿入する。
【００２８】
それから、ハンドル８を回転させる。ハンドル８と一体的に、リードスクリューである中心軸部材３が回転すると、雄ねじ部と雌ねじ部が螺合しているため、カム部材４は中心軸部材３の長手方向に移動する。なお、本実施形態では、中心軸部材３はフランジ１と上板６の間に固定されて進退できないため、カム部材４がフランジ１側に向かって（図３の右方向に）移動する。この時、セグメント５もフランジ１と上板６の間に挟まれて中心軸部材３の長手方向に移動できないため、カム部材４はセグメント５に対しても相対的に摺動する。すなわち、本実施形態では、中心軸部材３およびセグメント５が長手方向に固定されたままで、カム部材４のみが長手方向に移動する。カム部材４が図面右方向に移動することによって、図３に示すように、カム部材４のカム面１０ａのうちの、半径方向の高さが比較的高い部分がセグメント５のフォロワ部１１に当接するようになる。それによって、各セグメント５はそれぞれ半径方向に広がる。セグメント５の半径方向への広がりは、互いに係合している係合部１５，１６および被係合部７，１８によって案内される。このように広がった状態が図１〜３に示されている。この時、各セグメント５の外表面部１２同士の間に僅かな隙間が生じる。すなわち、円筒体２は、複数のスリットが入った状態で半径が広がる。円筒体２の半径が広がることによって、図３に示すように、外表面部１２上の多数の突起部１４がロール体１００の紙管１０１の内面に突き刺さる。多数の突起部１４が紙管１０１の内面にある程度食い込むと、それ以上深く食い込むことが困難になる。これは、円筒体２の半径方向への広がりが困難になることであり、さらに、カム部材４の図３右方向への進行が困難になり、その結果、中心軸部材３およびハンドル８の回転が困難になった状態を示す。作業者は、このような状態を、ハンドル８が回しにくくなる（ハンドルを回すことに対する抵抗が大きくなる）ことによって察知することができる。この状態では、多数の突起部１４によって、ロール体１００をがたつくことなくしっかりと保持することができる。
【００２９】
言い換えると、ロール体１００の紙管１０１の内径が数ｍｍ程度の誤差を有していても、作業者は抵抗が大きくなるまでハンドル８を回せば、多数の突起部１４が比較的深く紙管１０１の内側に食い込んで、ロール体１００をしっかりと保持できる状態にすることができる。誤差の測定や、目視等の確認や、ハンドル８の回転以外の工程を必要とせずに、ハンドル８の抵抗感のみによってロール体をしっかりと保持した状態にすることができる。
【００３０】
本実施形態において、ロール体の交換等のためにロール体１００の保持を解除する場合には、ハンドル８を逆回転させる。ハンドル８が逆回転すると、前記したのと反対に、カム部材４が図３の左方向に移動し、カム部材４のカム面１０ａのうちの、半径方向の高さが比較的低い部分がセグメント５のフォロワ部１１に当接するようになって、各セグメント５はそれぞれ半径方向に縮まる。それによって、多数の突起部１４のうちの少なくとも一部が紙管１０１の内面から離れ、円筒体２を紙管１０１の内部から脱出させることが可能になる。
【００３１】
また、万一、使用中に突起部１４のうちの一部が紙管１０１の内面から離れそうになった場合には、再度ハンドル８を正方向に回転させて、円筒体の半径を広げて、突起部１４を再度紙管１０１の内面により深く食い込ませることができる。このように、ロール体を保持している状態で、その保持力をさらに高める場合にも、ハンドルを回転させるだけで他の作業は必要とせず容易に処理することができる。
【００３２】
本実施形態において、カム面１０ａの長手方向の長さが、セグメント５およびフォロワ部１１の長手方向の長さの２／３以上になっている。それによって、かじりを生じることなくセグメント５が円滑に半径方向に広がったり縮まったりすることができる。
【００３３】
この点について説明すると、仮に、カム面１０ａの長手方向の長さがセグメント５に比べて短過ぎ、例えば、セグメント５のうち、カム面１０の摺動によって半径方向外側に押される部分と、半径方向外側に向かう圧力を受けない部分とが、同じくらいの割合で存在する場合には、特に半径方向外側に押される部分が、セグメント５の長手方向に見て一方の端部に偏っている時に、セグメント５はバランスを崩し、円筒体２の中心軸に対して平行な姿勢（半径方向に対して垂直な姿勢）から、斜めになってしまうおそれがある。そうすると、このセグメント５は、半径方向外側に向かって、フランジ１および上板６に対して円滑に摺動することができなくなる。すなわち、セグメント５がフランジ１や上板６に引っかかったり突っ張ったりして、半径方向外側に向けて円滑に平行移動できなくなる。このような動作不良を「かじり」という。かじりが生じると、複数の突起部１４を紙管１０１の内面に均等に食い込ませて紙管１０１を保持することができなくなる。なお、セグメント５が半径方向内側に移動する際にも同様な動作不良が生じる可能性がある。
【００３４】
本実施形態では、前記した通り、カム面１０ａの長手方向の長さが、セグメント５およびフォロワ部１１の長手方向の長さの２／３以上であるので、カム面１０ａの摺動によって、セグメント５のほぼ全体が均等に圧力を受ける。セグメント５のうち、カム面１０ａの摺動に伴う圧力を受けない部分はごく僅かであるため、セグメント５はバランスを崩さず、円筒体２の中心軸に対して平行な姿勢（半径方向に対して垂直な姿勢）を保ったままで、フランジ１や上板６に引っかかったり突っ張ったりすることなく、すなわち、かじりを生じることなく、半径方向外側に向けて円滑に平行移動できる。したがって、複数の突起部１４を紙管１０１の内面に均等に食い込ませて紙管１０１を保持することができる。
【００３５】
なお、本明細書中では、フォロワ部１１が、カム面１０ａのうちの、半径方向の高さが比較的低い部分に当接した状態と、カム面１０ａのうちの、半径方向の高さが比較的高い部分に当接した状態とを取り得るように説明している。実際には、両方の状態においてフォロワ部１１と当接する共通の部分がカム面１０ａには存在するが、フォロワ部１１とカム面１０ａが当接している部分を全体的に見ると、カム部材４が図３の左方向（上板６の近傍）に位置しているときには、相対的に半径方向の高さが低い部分がフォロワ部１１と係合し、半径方向の高さが特に高い部分はフォロワ部１１と係合しない。一方、カム部材４が図３の右方向（フランジ１の近傍）に移動すると、相対的に半径方向の高さが高い部分がフォロワ部１１と係合するようになる（図３に示す状態になる）。
【００３６】
本実施形態において、複数のセグメント５が円筒体２の全周にわたって均等に配置されていると、全周面が半径方向に均等に広がったり縮まったりするため、ロール体１００を傾斜させることなくバランスよく保持することができる。
【００３７】
従来は、ロール体１００および紙管１０１の端部をフランジの内側面に突き当てることによって、フランジを含むロール体保持装置と、それに保持されるロール体との位置関係を合わせていたが、ロール体１００の巻きむら等によって、直角に突き当てることが困難な場合があった。また、紙管１０１の内側に１つまたは少数の係止用突起を食い込ませてロール体１００を保持する構成が考えられていたが、その場合、少数の係止用突起を中心として、ロール体１００および紙管１０１が斜めに保持されることがあった。いずれの場合にも、ロール体１００および紙管１０１がフランジに対して直角ではなく斜めになって保持されると、斜行を引き起こす原因となる。これに対して本実施形態の構成では、比較的大面積の外表面部１２上に設けられた多数の突起部１４が、円筒体２の外周面の実質的に全面（ただし、各セグメント２が半径方向に広がったときに生じる外表面部１２同士の間のスリット状の隙間は除く）にわたって存在する。それによって、多数の突起部１４が、紙管１０１の内面の広い範囲に概ね均等に食い込むため、ロール体１００および紙管１０１が斜めになりにくい。
【００３８】
すなわち、１つまたは少数の係止用突起によってロール体１００および紙管１０１を保持する場合には、実質的に点支持に近い状態になって、バランスが取れずロール体１００および紙管１０１が斜めに保持される可能性がある。これに対して本実施形態では、大面積の外表面部１２上の多数の突起部１４がほぼ同時に紙管１０１の内面に食い込むため、実質的に面支持に近い状態になって、バランスが取れてロール体１００および紙管１０１がフランジ１に対して垂直に保持される。その結果、ロール体１００および紙管１０１をフランジ１に突き当てなくても適切に保持でき、斜行を防ぐことができる。このように、ロール体１００および紙管１０１をフランジ１に対して垂直に保持しつつ、図示しないスペーサ等を用いてロール体１００および紙管１０１をフランジ１から離して保持することによって、ロール体１００がフランジ１に当接して折れ曲がるのを防ぐことができる。
【００３９】
次に、図９〜１３を参照して本発明の第２の実施形態について説明する。なお、第１の実施形態と同様の構成については同一の符号を付与し説明を省略する。
【００４０】
本実施形態のロール体保持装置は、第１の実施形態と同様にフランジ１と円筒体２とからなり、具体的には、中心軸部材３と、中心軸部材３の外周に取り付けられているカム部材２１（図１２参照）と、中心軸部材３およびカム部材２１を覆う円筒体２を構成する複数のセグメント２２（図１１，１３参照）が、フランジ１と上板６の間に保持されている。
【００４１】
本実施形態のカム部材２１は、図１２に示されているように、筒部９の外周面から突出する突出部２３を有し、この突出部２３は半径方向の高さが変わるカム面２３ａを有している。
【００４２】
一方、本実施形態のセグメント２２は、図１１，１３に示されているように、カム部材２１のカム面２３ａに当接してそれに沿って相対的に摺動可能なフォロワ部２４と、円筒体２の外周面を構成する外表面部２５と、外表面部２５一体的に連結されている板ばね部２６と、上板６およびフランジ１に固定されている支持軸２７（図１１参照）が嵌合する軸受部２８を有している。外表面部２５上には多数の棘状の突起部１４が設けられている。このセグメント２２は、軸受部２８に支持軸２７が挿入されて、この軸受部２８および支持軸２７を中心として揺動可能である。そして、板ばね部２６の一部が、隣りのセグメント２２の軸受部２８およびそれが嵌合している支持軸２７に引っかけられている。複数のセグメント２２の外表面部２５が、僅かな間隔をおいて互いに連なって円筒体２の外周を構成している。なお、このセグメント２２とフランジ１および上板６には、第１の実施形態と同様な係合部１５，１６および被係合部７，１８は設けられていない。
【００４３】
本実施形態のロール体保持装置におけるロール体保持方法について説明すると、まず、第１の実施形態と同様に各セグメント２２が半径方向に縮まった初期状態で、円筒体２をロール体１００の紙管１０１（図３参照）の内側に挿入する。それから、ハンドル８を回して中心軸部材３を回転させ、カム部材２１を中心軸部材３の長手方向に移動させる。これによって、カム部材２１のカム面２３ａのうちの、半径方向の高さが比較的高い部分がセグメント２２のフォロワ部２４に当接するようになる。その結果、各セグメント２２は軸受部２８および支持軸２７を中心として揺動し、外表面部２５が半径方向に広がる。それによって、外表面部２５上の多数の突起部１４がロール体１００の紙管１０１の内面に突き刺さる。こうして、多数の突起部１４によって、ロール体１００をがたつくことなくしっかりと保持することができる。
【００４４】
ロール体１００の保持を解除する場合には、ハンドル８を逆回転させてカム部材２１を移動させ、カム部材２１のカム面２３ａのうちの、半径方向の高さが比較的低い部分がセグメント２２のフォロワ部２４に当接するようにする。すると、各セグメント２２は、板ばね部２６のばね性によって軸受部２８および支持軸２７を中心として揺動して初期位置に復帰し、すなわち半径方向に縮まる。こうして、多数の突起部１４のうちの少なくとも一部が紙管１０１の内面から離れ、円筒体２０を紙管１０１の内部から脱出させることが可能になる。
【００４５】
以上説明したように、本発明の第１の実施形態では、フォロワ部１１がレール１０に離脱不能に係合しているので、ハンドル８の正逆回転に伴うカム部材４の進退に対応して、各セグメント５が半径方向に広がったり縮まったりする。一方、第２の実施形態では、フォロワ部２４はカム面２３ａに当接しているだけであるが、各セグメント２２を半径方向に広げる際にはカム部材２１を利用し、各セグメント２２を半径方向に縮めて初期状態に復帰させる際には板ばね部２６のばね性を利用することができる。いずれの実施形態でも、各セグメント５，２２を半径方向に広げたり縮めたりする動作、すなわちロール体１００をしっかりと保持したり保持を解除したりする動作を、途中で調整作業等を行う必要なく、ハンドル８の回転操作のみで何度も繰り返して行うことができる。
【００４６】
次に、前記した第１の実施形態または第２の実施形態のロール体保持装置を採用した記録装置の一例について、図１４を参照して説明する。この記録装置は、例えば０．５ｍ〜２ｍ程度の比較的広い幅を有する紙や合成樹脂等からなる記録媒体３０に対して記録を行うインクジェットプリンタである。このインクジェットプリンタは、記録媒体３０に記録を行う記録ユニット３１と、この記録ユニット３１によって記録される記録媒体３０を搬送する搬送ユニット３２とを備えている。
【００４７】
記録ユニット３１は、記録媒体３０にインク滴を吐出する記録ヘッド３３と、記録媒体３０の搬送方向に直交する幅方向に記録ヘッド３３を走査させるヘッド移動機構とを有している。ヘッド移動機構は、記録ヘッド３３を保持するキャリッジ３４と、このキャリッジ３４を記録媒体３０の幅方向に移動可能に案内するガイドレール（図示せず）と、キャリッジ３４をガイドレールに沿って駆動するための駆動モータ（図示せず）等を含む。
【００４８】
搬送ユニット３２は、記録媒体３０の搬送経路の順に、記録媒体３０を供給する供給用のロール体１００ａを支持する供給部３５と、記録ヘッド３３側に搬入される記録媒体３０をガイドするフロントペーパガイド３６と、記録ヘッド３３によって記録される記録媒体３０を支持するプラテン３７と、記録ヘッド３３側から搬出される記録媒体３０をガイドするリアペーパガイド３８と、記録ヘッド３３によって記録された記録媒体３０を巻き取るための巻取り用ロール体１００ｂを支持する巻取り部３９とを有している。本実施形態においては、搬送ユニット３２自体は記録媒体３０を搬送するための送り出し機構を有しておらず、単に、記録ヘッドの近傍に設けられている搬送ローラ（図示せず）の回転に伴って記録媒体３０が移動するのにつれて両ロール体１００ａ，１００ｂが回転できるように支持するものである。
【００４９】
供給部３５と巻取り部３９は、それぞれ、記録媒体３０が紙管１０１に巻回されて構成されているロール体１００ａ，１００ｂの紙管１０１を内側から支持するために、前記した第１の実施形態または第２の実施形態のロール体保持装置を有している。図１４では、ロール体保持装置の円筒体２および突起部１４のみを模式的に図示している。供給部３５と巻取り部３９は、ロール体１００ａ，１００ｂおよびロール体保持装置を支持する支持構造体（図示せず）をさらに有している。ロール体保持装置は、ロール体１００ａ，１００ｂの両端部にそれぞれ配置されている。なお、本実施形態では、前記したように記録媒体３０の移動に伴って両ロール体１００ａ，１００ｂが連れ回りするだけの構成であるが、記録媒体３０を積極的に送り出す送り出し機構、例えばロール体１００ａ，１００ｂを間欠的に回転させる駆動機構（図示せず）を含む構成にしてもよい。
【００５０】
この構成によると、本発明のロール体保持装置を用いて供給用ロール体１００ａをしっかりと保持することによって、記録媒体３０を斜行することなく円滑に供給して所望の記録を行うことができる。また、本発明のロール体保持装置によって巻取り用ロール体１００ｂをしっかりと保持し、記録媒体３０を円滑に巻き取ることができる。さらに、非常に簡単な操作で、ロール体１００ａ，１００ｂの取り付けおよび取り外しを繰り返し行うことができる。
【００５１】
なお、図１４に示す例では、供給用ロール体１００ａと巻取り用ロール体１００ｂの両方を本発明のロール体保持装置を用いて保持しているが、一方のみを本発明のロール体保持装置を用いて保持する構成にすることもできる。
【図面の簡単な説明】
【００５２】
【図１】本発明の第１の実施形態のロール体保持装置を示す斜視図である。
【図２】図１に示すロール体保持装置を異なる方向から見た斜視図である。
【図３】図１に示すロール体保持装置の、セグメントの一部を省略した正面図である。
【図４】図１に示すロール体保持装置の中心軸部材を示す斜視図である。
【図５】図１に示すロール体保持装置のカム部材を示す斜視図である。
【図６】図１に示すロール体保持装置のセグメントを示す斜視図である。
【図７】図１に示すロール体保持装置のセグメント取り付け状態を説明するために一部の部材を省略して示す斜視図である。
【図８】図１に示すロール体保持装置のセグメント取り付け状態を説明するために一部の部材を省略して異なる方向から示す斜視図である。
【図９】本発明の第２の実施形態のロール体保持装置を示す斜視図である。
【図１０】図９に示すロール体保持装置の、セグメントの一部を省略した正面図である。
【図１１】図９に示すロール体保持装置の、上板を省略した平面図である。
【図１２】図９に示すロール体保持装置のカム部材を示す斜視図である。
【図１３】（ａ）は図９に示すロール体保持装置のセグメントを外表面部側から見た斜視図、（ｂ）はそのフォロワ部側から見た斜視図である。
【図１４】本発明のロール体保持装置を採用した記録装置の一例を示す正面図である。
【符号の説明】
【００５３】
１          フランジ
２          円筒体
３          中心軸部材
４，２１    カム部材
５，２２    セグメント
６          上板
７，１８    被係合部
８          ハンドル
９          筒部
１０        レール
１０ａ，２３ａ      カム面
１１，２４  フォロワ部
１２，２５  外表面部
１３        連結部
１４        突起部
１５，１６  係合部
１７        ねじ
１９        ピン
２３        突出部
２６        板ばね部
２７        支持軸
２８        軸受部
３０        記録媒体
３１        記録ユニット
３２        搬送ユニット
３３        記録ヘッド
３４        キャリッジ
３５        供給部
３６        フロントペーパガイド
３７        プラテン
３８        リアペーパガイド
３９        巻取り部
１００，１００ａ，１００ｂ      ロール体
１０１      紙管
【図１】
2007062935.tif 000003
【図２】
2007062935.tif 000004
【図３】
2007062935.tif 000005
【図４】
2007062935.tif 000006
【図５】
2007062935.tif 000007
【図６】
2007062935.tif 000008
【図７】
2007062935.tif 000009
【図８】
2007062935.tif 000010
【図９】
2007062935.tif 000011
【図１０】
2007062935.tif 000012
【図１１】
2007062935.tif 000013
【図１２】
2007062935.tif 000014
【図１３】
2007062935.tif 000015
【図１４】
2007062935.tif 000016